【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
呼吸マスクアセンブリ用のシールクッションであって、
患者の顔に係合するための弾性変形可能なメンブレンを有する患者インタフェース部と、
患者の顔の鼻又は口の少なくとも１つの領域を受けるためにそこに形成された開口と、
を備え、
前記メンブレンの内面は複数の突起を含み、前記突起は、使用時に前記メンブレンが前記患者の顔に係合されている間、前記メンブレンの変形により各突起が隣接する突起と係合可能であり、それによって変形された構成においてはメンブレンの変形抵抗が増大するようになっている、シールクッション。
【請求項２】
前記突起の高さは前記メンブレンの厚さの少なくとも２倍である、請求項１に記載のシールクッション。
【請求項３】
前記突起の幅及又は長さの少なくとも１つは前記メンブレンの厚さの少なくとも２倍である、請求項１又は請求項２に記載のシールクッション。
【請求項４】
突起群は前記メンブレンの複数の局部領域に配置されている、請求項１〜請求項３のいずれか１項に記載のシールクッション。
【請求項５】
突起群内の前記突起は規則的に配置されている、請求項４に記載のシールクッション。
【請求項６】
２以上の突起群が、少なくとも係合前又は係合後に異なるレベルの弾性又は変形抵抗の少なくとも１つを与えるように適合された、請求項４又は請求項５に記載のシールクッション。
【請求項７】
前記メンブレンの鼻梁領域に位置する１以上の突起群は、前記メンブレンの下隅に位置する１以上の突起群よりも大きい、請求項４〜請求項６のいずれか１項に記載のシールクッション。
【請求項８】
一群の突起における前記突起は、前記メンブレンを実質的に横断して延在する、請求項４〜請求項７のいずれか１項に記載のシールクッション。
【請求項９】
突起群は、鼻梁領域の両側又は、鼻マスクの鼻孔に隣接する前記メンブレンの下隅又はフルフェイス型マスクの前記口に隣接する側の少なくとも１つに位置する、請求項４〜請求項８のいずれか１項に記載のシールクッション。
【請求項１０】
前記シールクッションの実質的な中央垂直軸を横切って対向する突起群の１以上のペアは、実質的に同一の全体形状を有する、請求項４〜請求項９のいずれか１項に記載のシールクッション。
【請求項１１】
一連の３以上の隣接する突起は前記メンブレンの変形が進む際に、実質的に同時に係合させられるようになっている、請求項１〜請求項１０のいずれか１項に記載のシールクッション。
【請求項１２】
一連の３以上の隣接する突起は前記メンブレンの変形が進む際に、段階的に係合させられるようになっている、請求項１〜請求項１１のいずれか１項に記載のシールクッション。
【請求項１３】
前記メンブレンの第１領域における少なくとも２つの突起は、使用時に前記メンブレンを前記患者の顔に係合する際に、前記メンブレンの第２領域、例えば前記第１領域よりも前記開口からより大きく離間した領域、における少なくとも２つの突起が係合する前に相互に係合するように適合されている、請求項１２に記載のシールクッション。
【請求項１４】
１以上の前記突起は、前記開口を画定するメンブレンの内側端部に向かって前記突起の幅又は高さの少なくとも１つが減少するように横方向にテーパが付いている、請求項１〜請求項１３のいずれか１項に記載のシールクッション。
【請求項１５】
前記突起が弾性又は変形抵抗の少なくとも１つの大きい領域と小さい領域との間で段階的に遷移するように、前記突起の１以上には外周方向にテーパが付いている、請求項１〜請求項１４のいずれか１項に記載のシールクッション。
【請求項１６】
前記突起のそれぞれは、使用時に前記メンブレンが変形した構成において、隣接する突起の対応する当接面に当接させられる当接面を備える、請求項１〜請求項１５のいずれか１項に記載のシールクッション。
【請求項１７】
１以上の前記当接面は、隣接当接面と係合しているときに横方向移動又は滑りに抵抗するように適合されている、請求項１６に記載のシールクッション。
【請求項１８】
前記シールクッションの静止構成において、少なくとも１つ又はそれぞれの突起は、隣接突起から少なくとも部分的に離間している、請求項１〜請求項１７のいずれか１項に記載のシールクッション。
【請求項１９】
少なくとも１つ又はそれぞれの突起は、隣接突起から、即ち前記メンブレンの内面から、完全に離間している、請求項１〜請求項１８のいずれか１項に記載のシールクッション。
【請求項２０】
前記突起の１以上又はそれぞれは、隣接突起から実質的に“Ｖ字型”のチャネル又は溝により離間している、請求項１〜請求項１９のいずれか１項に記載のシールクッション。
【請求項２１】
前記突起の１以上又はそれぞれは、静止構成において当接していて、前記突起は製造時に１つの突起を切断して２つの当接する突起を形成することにより形成されている、請求項１〜請求項２０のいずれか１項に記載のシールクッション。
【請求項２２】
前記メンブレンは接触面領域において断面が湾曲しており、曲率が患者の顔への係合による変形で増大した所では、前記メンブレンの曲率の増大により隣接突起間の係合が生じる、請求項１〜請求項２１のいずれか１項に記載のシールクッション。
【請求項２３】
前記メンブレンは下に支持部材又はクッションの少なくとも１つを持たず、前記メンブレンと付属する突起によってのみ変形抵抗が与えられる、請求項１〜請求項２２のいずれか１項に記載のシールクッション。
【請求項２４】
前記突起は前記メンブレンと一体形成されている、請求項１〜請求項２３のいずれか１項に記載のシールクッション。
【請求項２５】
請求項１〜請求項２４のいずれか１項に記載のシールクッションを備える呼吸マスクアセンブリ。
【請求項２６】
呼吸マスクと、使用時に前記呼吸マスクを患者の顔に保持するためのヘッドギアとを備える呼吸マスクアセンブリであって、
前記ヘッドギアは、
１以上の可撓性ストラップと、
前記呼吸マスクの対応するファスナに着脱自在に取り付けられるように適合された少なくとも１つのファスナと、
を備え、
前記対応するファスナは、
首部分と拡大ヘッド部分とを有する第１ファスナと、
前記第１ファスナの前記首部分を収納するための開口を画定する１以上の支持部材を有する第２ファスナであって、前記第１ファスナの前記拡大ヘッド部分が前記第２ファスナの１以上の支持部材に支持されるようになった第２ファスナと、
を備える、呼吸マスクアセンブリ。
【請求項２７】
前記第１ファスナは、前記第２ファスナの１以上の支持部材に当接するように適合された、前記拡大ヘッド部分の当接面を含む、請求項２６に記載の呼吸マスクアセンブリ。
【請求項２８】
前記当接面は、前記第２ファスナの前記１以上の支持部材の前記当接面の形状に実質的に対応する形状、を有する、請求項２７に記載の呼吸マスクアセンブリ。
【請求項２９】
前記第１ファスナは一般的にＴ字型である、請求項２６〜請求項２８のいずれか１項に記載の呼吸マスクアセンブリ。
【請求項３０】
前記第１ファスナは前記ヘッドギアの一部であり、前記ヘッドギアの可撓性ストラップに取り付けられている、請求項２６〜請求項２９のいずれか１項に記載の呼吸マスクアセンブリ。
【請求項３１】
前記第２ファスナは鉤形状を有し、そこには前記第１ファスナを支える支持部材を形成する第１突出部と、前記第１ファスナの横移動を制限又は防止する第２突出部及び第３突出部との少なくとも３つの突出部を有する、請求項２６〜請求項３０のいずれか１項に記載の呼吸マスクアセンブリ。
【請求項３２】
前記第２突出部又は前記第３突出部は、前記呼吸マスク又は前記ヘッドギアへの取付け部を形成する、請求項３１に記載の呼吸マスクアセンブリ。
【請求項３３】
前記第２ファスナは一般的にＣ字型である、請求項２６〜請求項３２のいずれか１項に記載の呼吸マスクアセンブリ。
【請求項３４】
前記第２ファスナは、マスクシェルから延在する前記呼吸マスクの一部である、請求項２６〜請求項３３のいずれか１項に記載の呼吸マスクアセンブリ。
【請求項３５】
前記第１ファスナ及び第２ファスナは、前記ファスナを外すために前記ファスナの相対的回転移動を必要とするようになっている、請求項２６〜請求項３４のいずれか１項に記載の呼吸マスクアセンブリ。
【請求項３６】
前記第２ファスナは、係合構成において前記第１ファスナの拡大ヘッド部分の横幅よりも小さい距離だけ離間した横支持部材を有する、請求項３５に記載の呼吸マスクアセンブリ。
【請求項３７】
前記第１ファスナ及び第２ファスナは、使用時に前記ファスナを外すために前記ファスナの相対的回転移動のみを必要とするようになっている、請求項２６〜請求項３６のいずれか１項に記載の呼吸マスクアセンブリ。
【請求項３８】
前記第１ファスナの前記拡大ヘッド部分を支持する、前記第２ファスナの１以上の支持部材の少なくとも１つの表面は、取り外し方向に対して斜めの角度となっていて、使用時に前記ファスナの相対回転移動によって前記ファスナが取り外し方向に分離させられるようになっている、請求項３７に記載の呼吸マスクアセンブリ。
【請求項３９】
前記第２ファスナの前記１以上の支持部材が概ねＶ字型又は凹型の表面を画定し、前記ファスナが係合するとき、前記第１ファスナの拡大ヘッド部分がそこに支持される、請求項３８に記載の呼吸マスクアセンブリ。
【請求項４０】
呼吸マスクアセンブリであって、前記呼吸マスクアセンブリはマスクシェルとシールクッションとを備え、
前記マスクシェルの外面は眼鏡を支持するように適合された保持形成体を有する、呼吸マスクアセンブリ。
【請求項４１】
前記眼鏡の保持形成体は前記マスクシェルの鼻梁領域に配置されている、請求項４０に記載の呼吸マスクアセンブリ。
【請求項４２】
前記眼鏡の保持形成体は、前記眼鏡の少なくとも一部の上に延在し、前記眼鏡を重力作用に抗して保持するようになったファスナを含む、請求項４０又は請求項４１に記載の呼吸マスクアセンブリ。
【請求項４３】
前記眼鏡の保持形成体は前記マスクシェルの前記外面から立ち上がっている、請求項４０〜請求項４２のいずれか１項に記載の呼吸マスクアセンブリ。
【請求項４４】
請求項２５〜請求項４３のいずれか１項に記載の呼吸マスクアセンブリを備える呼吸器システム。
【請求項４５】
呼吸ガス供給を前記呼吸マスクアセンブリに送達するための換気機を備え、前記換気機は呼吸サイクルの少なくとも一部において患者に正圧の換気を供給するように構成されている、請求項４４に記載の呼吸器システム。
【請求項４６】
前記換気機は、連続的な正気道圧力を患者に供給するように構成されている、請求項４５に記載の呼吸器システム。